(57)【要約】【課題】内部導体がクロスヘッド心金の中心に対して偏芯することを防止する押出方法を提供する。【解決手段】内部導体の外周に内部層が形成された被覆電線を、クロスヘッド心金を有するクロスヘッドに送り、クロスヘッドで被覆電線の外周に外部層用材料を押出被覆して外部層を形成する押出方法において、被覆電線の外周に外部層用材料を押出被覆する際、被覆電線の径とクロスヘッド心金の径を同じくなるように押し出し、クロスヘッド心金の内周部に内部層の材料である内部層用材料を滞留させ、内部導体をクロスヘッド心金の中心に固定する方法である。【選択図】図２
2012190606.tif 000002
【特許請求の範囲】
【請求項１】
内部導体の外周に内部層が形成された被覆電線を、クロスヘッド心金を有するクロスヘッドに送り、前記クロスヘッドで前記被覆電線の外周に外部層用材料を押出被覆して外部層を形成する押出方法において、
前記被覆電線の外周に前記外部層用材料を押出被覆する際、前記被覆電線の径と前記クロスヘッド心金の径を同じくなるように押し出し、前記クロスヘッド心金の内周部に前記内部層の材料である内部層用材料を滞留させ、前記内部導体を前記クロスヘッド心金の中心に固定することを特徴とする押出方法。
【請求項２】
内部導体の外周に内部充実層が形成された被覆電線を、発泡層クロスヘッド心金を有する発泡層クロスヘッドに送り、前記発泡層クロスヘッドで前記被覆電線の外周に発泡絶縁体を押出被覆して発泡層を形成する発泡絶縁体押出方法において、
前記被覆電線の外周に前記発泡絶縁体を押出被覆する際、前記被覆電線の径と前記発泡層クロスヘッド心金の径を同じくなるように押し出し、前記発泡層クロスヘッド心金の内周部に前記内部充実層の材料である内部充実層用材料を滞留させ、前記内部導体を前記発泡層クロスヘッド心金の中心に固定することを特徴とする発泡絶縁体押出方法。
【請求項３】
前記発泡層クロスヘッド心金を内部充実層用材料の融点以上に加熱しておき、前記被覆電線が前記発泡層クロスヘッド心金を通過する際に前記内部充実層の表面を融かし、融けた内部充実層用材料を滞留させる請求項２に記載の発泡絶縁体押出方法。
【請求項４】
滞留させる内部充実層用材料を別途供給する請求項２に記載の発泡絶縁体押出方法。
【請求項５】
前記発泡層クロスヘッドの前段に前記内部導体の外周に内部充実層用材料を押出被覆して前記内部充実層を形成するための内部充実層クロスヘッドを設け、前記発泡層クロスヘッド心金における内部充実層用材料の滞留量の増減を、前記内部充実層クロスヘッドに内部充実層用材料を押し出すための内部充実層押出機のスクリュー回転数にフィードバックさせる請求項２又は３に記載の発泡絶縁体押出方法。
【発明の詳細な説明】
【技術分野】
【０００１】
本発明は、内部層が形成された内部導体の外周に外部層を形成する押出方法及びこれを適用した発泡絶縁体押出方法に関するものである。
【背景技術】
【０００２】
従来、内部導体の外周に内部層が形成された被覆電線を、クロスヘッド心金を有するクロスヘッドに送り、クロスヘッドで被覆電線の外周に外部層用材料を押出被覆して外部層を形成する押出方法が用いられている。
【０００３】
ここでは、図７に示すように、内部導体７１の外周に内部層としての内部充実層７２が形成されてなる被覆電線７３と、被覆電線７３の外周に形成された外部層としての発泡層７４と、発泡層７４の外周に形成された外部充実層７５と、外部充実層７５の外周に設けられた外部導体７６と、外部導体７６の外周に形成された外皮７７とから構成された同軸ケーブル７０を例に説明する。
【０００４】
図８に示すように、この同軸ケーブル７０を製造する際には、先ず、被覆電線７３と発泡層７４と外部充実層７５とからなる発泡絶縁電線８０を製造する。
【０００５】
図９に示すように、この発泡絶縁電線８０における発泡層７４は、被覆電線７３を、発泡層クロスヘッド心金９１を有する発泡層クロスヘッド９０に送り、発泡層クロスヘッド９０で被覆電線７３の外周に発泡絶縁体（発泡層用材料）９２を押出被覆して発泡層７４を形成する発泡絶縁体押出方法により形成される。
【先行技術文献】
【特許文献】
【０００６】
【特許文献１】特開平１１−１８８４１９号公報
【発明の概要】
【発明が解決しようとする課題】
【０００７】
しかしながら、被覆電線７３の径Ａと発泡層クロスヘッド心金９１の径Ｂにはギャップが存在しており、内部導体７１は発泡層クロスヘッド心金９１の中心に対して常に微少変動（偏芯）する。
【０００８】
この偏芯が、同軸ケーブル７０のケーブル長手方向の均一性の指標である電圧定在波比（ＶＳＷＲ）を増大（悪化）させてしまう問題があった。
【０００９】
そこで、本発明の目的は、内部導体がクロスヘッド心金の中心に対して偏芯することを防止する押出方法及びこれを適用した発泡絶縁体押出方法を提供することにある。
【課題を解決するための手段】
【００１０】
この目的を達成するために創案された本発明は、内部導体の外周に内部層が形成された被覆電線を、クロスヘッド心金を有するクロスヘッドに送り、前記クロスヘッドで前記被覆電線の外周に外部層用材料を押出被覆して外部層を形成する押出方法において、前記被覆電線の外周に前記外部層用材料を押出被覆する際、前記被覆電線の径と前記クロスヘッド心金の径を同じくなるように押し出し、前記クロスヘッド心金の内周部に前記内部層の材料である内部層用材料を滞留させ、前記内部導体を前記クロスヘッド心金の中心に固定する押出方法である。
【００１１】
また、本発明は、内部導体の外周に内部充実層が形成された被覆電線を、発泡層クロスヘッド心金を有する発泡層クロスヘッドに送り、前記発泡層クロスヘッドで前記被覆電線の外周に発泡絶縁体を押出被覆して発泡層を形成する発泡絶縁体押出方法において、前記被覆電線の外周に前記発泡絶縁体を押出被覆する際、前記被覆電線の径と前記発泡層クロスヘッド心金の径を同じくなるように押し出し、前記発泡層クロスヘッド心金の内周部に前記内部充実層の材料である内部充実層用材料を滞留させ、前記内部導体を前記発泡層クロスヘッド心金の中心に固定する発泡絶縁体押出方法である。
【００１２】
前記発泡層クロスヘッド心金を内部充実層用材料の融点以上に加熱しておき、前記被覆電線が前記発泡層クロスヘッド心金を通過する際に前記内部充実層の表面を融かし、融けた内部充実層用材料を滞留させると良い。
【００１３】
滞留させる内部充実層用材料を別途供給しても良い。
【００１４】
前記発泡層クロスヘッドの前段に前記内部導体の外周に内部充実層用材料を押出被覆して前記内部充実層を形成するための内部充実層クロスヘッドを設け、前記発泡層クロスヘッド心金における内部充実層用材料の滞留量の増減を、前記内部充実層クロスヘッドに内部充実層用材料を押し出すための内部充実層押出機のスクリュー回転数にフィードバックさせると良い。
【発明の効果】
【００１５】
本発明によれば、内部導体がクロスヘッド心金の中心に対して偏芯することを防止することができる。
【図面の簡単な説明】
【００１６】
【図１】本発明を適用する押出被覆装置を示す概略図である。
【図２】（ａ），（ｂ）は本発明に係る発泡層クロスヘッドを示す断面図である。
【図３】本発明適用前の偏芯量を示す図である。
【図４】本発明適用後の偏芯量を示す図である。
【図５】本発明適用前のＶＳＷＲを示す図である。
【図６】本発明適用後のＶＳＷＲを示す図である。
【図７】同軸ケーブルを示す側面図である。
【図８】発泡絶縁電線を示す断面図である。
【図９】従来の発泡層クロスヘッドを示す断面図である。
【発明を実施するための形態】
【００１７】
以下、本発明の好適な実施の形態を添付図面にしたがって説明する。
【００１８】
ここでは、内部導体の外周に内部充実層が形成された被覆電線を、発泡層クロスヘッド心金を有する発泡層クロスヘッドに送り、発泡層クロスヘッドで被覆電線の外周に発泡絶縁体を押出被覆して発泡層を形成する発泡絶縁体押出方法について説明する。
【００１９】
先ず、本発明を適用する押出被覆装置を説明する。
【００２０】
この押出被覆装置は、図８に示した発泡絶縁電線８０を、図９に示した発泡層クロスヘッド９０を用いて製造するものである。
【００２１】
図１に示すように、本発明を適用する押出被覆装置１０は、内部導体７１の外周に内部充実層７２を形成するための内部充実層形成機構１１と、内部充実層７２の外周に発泡層７４を形成するための発泡層形成機構１２と、発泡層７４の外周に外部充実層７５を形成するための外部充実層形成機構１３とを備える。
【００２２】
内部充実層形成機構１１は、内部導体７１の外周に内部充実層用材料を押出被覆して内部充実層７２を形成するための内部充実層クロスヘッド１４と、内部充実層クロスヘッド１４に内部充実層用材料を押し出すための内部充実層押出機１５と、内部充実層押出機１５に材料を投入するための材料投入口１６とを有する。
【００２３】
内部充実層押出機１５は、その内部にスクリューが設けられており、このスクリューを回転させることにより、材料投入口１６から投入された材料を混練・溶融させると共に内部充実層クロスヘッド１４に内部充実層用材料を押し出すようになっている。
【００２４】
発泡層形成機構１２は、内部充実層７２の外周に発泡絶縁体を押出被覆して発泡層７４を形成するための発泡層クロスヘッド９０と、発泡層クロスヘッド９０に発泡絶縁体９２を押し出すための発泡層押出機１７と、発泡層押出機１７に材料を投入するための材料投入口１８と、発泡層押出機１７に投入された材料に発泡のためのガスを注入するガス注入装置１９とを有する。
【００２５】
発泡層クロスヘッド９０は、図２（ａ）に示したように、被覆電線７３を通過させる発泡層クロスヘッド心金９１と、発泡層クロスヘッド心金９１の周囲を覆うように設けられると共に発泡層クロスヘッド心金９１との間に発泡絶縁体９２を流すための流路９３を形成する発泡層クロスヘッド口金９４とを有する。
【００２６】
発泡層押出機１７も内部充実層押出機１５と同様に、その内部にスクリューが設けられており、このスクリューを回転させることにより、材料投入口１８及びガス注入装置１９から投入された材料及び注入されたガスを混練・溶融させると共に発泡層クロスヘッド９０に発泡絶縁体９２を押し出すようになっている。
【００２７】
外部充実層形成機構１３は、発泡層クロスヘッド９０に外部充実層用材料を押し出すための外部充実層押出機２０と、外部充実層押出機２０に材料を投入するための材料投入口２１とを有する。
【００２８】
外部充実層押出機２０は、発泡層形成機構１２の発泡層クロスヘッド９０に接続されており、発泡層クロスヘッド９０によって発泡層７４の外周に外部充実層用材料を押出被覆して外部充実層７５を形成するようになっている。つまり、図示していないが発泡層クロスヘッド９０は、外部充実層用材料を流すための流路を有しており、外部充実層クロスヘッドも兼ねている。
【００２９】
外部充実層押出機２０も内部充実層押出機１５と同様に、その内部にスクリューが設けられており、このスクリューを回転させることにより、材料投入口２１から投入された材料を混練・溶融させると共に発泡層クロスヘッド９０に外部充実層用材料を押し出すようになっている。
【００３０】
さて、本発明は、内部導体７１の外周に内部充実層７２が形成された被覆電線７３を、発泡層クロスヘッド心金９１を有する発泡層クロスヘッド９０に送り、発泡層クロスヘッド９０で被覆電線７３の外周に発泡絶縁体９２を押出被覆して発泡層７４を形成する発泡絶縁体押出方法において、被覆電線７３の外周に発泡絶縁体９２を押出被覆する際、図２（ａ）に示すように、被覆電線７３の径Ａと発泡層クロスヘッド心金９１の径Ｂを同じくなるように押し出し、発泡層クロスヘッド心金９１の内周部に内部充実層７２の材料である内部充実層用材料９５を滞留させ、内部導体７１を発泡層クロスヘッド心金９１の中心に固定することを特徴とする。
【００３１】
このために、押出被覆装置１０では、発泡層クロスヘッド心金９１を内部充実層用材料９５の融点以上に加熱しておき、被覆電線７３が発泡層クロスヘッド心金９１を通過する際に内部充実層７２の表面を融かし、融けた内部充実層用材料９５を滞留させるようにしている。
【００３２】
更に、発泡層クロスヘッド心金９１における内部充実層用材料９５の滞留量の増減を、内部充実層クロスヘッド１４に内部充実層用材料９５を押し出すための内部充実層押出機１５のスクリュー回転数にフィードバックさせるようにしている。この発泡層クロスヘッド心金９１における内部充実層用材料９５の滞留量の増減は、発泡層クロスヘッド９０に設けた非接触の変位センサ２２でモニタする。
【００３３】
このように構成した押出被覆装置１０を用いて発泡絶縁体押出方法を実施するには、先ず、材料投入口１６から内部充実層押出機１５に材料を投入し、内部充実層押出機１５にて材料を混練・溶融させて内部充実層用材料９５を形成する。そして、内部導体７１を内部充実層クロスヘッド１４に送り、内部充実層クロスヘッド１４で内部導体７１の外周に内部充実層用材料９５を押出被覆して内部充実層７２を形成し、内部導体７１の外周に内部充実層７２が形成された被覆電線７３を得る。
【００３４】
続いて、材料投入口１８から発泡層押出機１７に材料を投入すると共にガス注入装置１９から発泡のためのガスを注入し、発泡層押出機１７にて材料とガスを混練・溶融させて発泡絶縁体９２を形成する。他方、材料投入口２１から外部充実層押出機２０に材料を投入し、外部充実層押出機２０にて材料を混練・溶融させて外部充実層用材料を形成する。そして、被覆電線７３を内部充実層クロスヘッド１４から発泡層クロスヘッド９０に送り、発泡層クロスヘッド９０で被覆電線７３の外周に発泡絶縁体９２を押出被覆して発泡層７４を形成し、更に、発泡層７４の外周に外部充実層用材料を押出被覆して外部充実層７５を形成して、発泡絶縁電線８０を得る。
【００３５】
このとき、従来は被覆電線７３の径Ａと発泡層クロスヘッド心金９１の径Ｂにはギャップが存在し、内部導体７１が発泡層クロスヘッド心金９１の中心に対して偏芯していたが、本発明を適用した押出被覆装置１０では、被覆電線７３の径Ａと発泡層クロスヘッド心金９１の径Ｂの径を同じくなるように押し出し、発泡層クロスヘッド心金９１の熱によって内部充実層７２の表面を融かし易くして、発泡層クロスヘッド心金９１の内周部に、この融けた内部充実層用材料９５を滞留させ、内部導体７１を発泡層クロスヘッド心金９１の中心に対して固定し、偏芯量を抑えることができる。
【００３６】
また、押出被覆装置１０では、変位センサ２２で内部充実層用材料９５の滞留量の増減をモニタし、内部充実層押出機１５のスクリュー回転数にフィードバックさせて、内部充実層用材料９５の滞留量を一定にし、内部充実層７２の厚みを調整して、融けてできる内部充実層用材料９５の量（滞留量）を調整している。これによって、ケーブル長手方向での内部導体７１の偏芯量のバラツキを小さくすることができ、ＶＳＷＲの増大を抑制することが可能になる。
【００３７】
なお、本実施の形態においては、発泡層クロスヘッド心金９１を内部充実層用材料９５の融点以上に加熱しておき、被覆電線７３が発泡層クロスヘッド心金９１を通過する際に内部充実層７２の表面を融かし、融けた内部充実層用材料９５を滞留させるようにしたが、内部充実層用材料９５を滞留させるための手段は特に限定されない。
【００３８】
例えば、図２（ｂ）に示すように、発泡層クロスヘッド９０の発泡層クロスヘッド心金９１に内部充実層用材料９５を供給するための流路２３を形成し、滞留させる内部充実層用材料９５を別途供給するようにしても良い。
【００３９】
また、本発明は、発泡絶縁体押出方法への適用に限られず、内部導体の外周に内部層が形成された被覆電線を、クロスヘッド心金を有するクロスヘッドに送り、クロスヘッドで被覆電線の外周に外部層用材料を押出被覆して外部層を形成する押出方法の全般に適用することが可能である。
【実施例】
【００４０】
本発明の効果を実証すべく、内部導体径９．０ｍｍΦ、発泡層径２３．０ｍｍΦの同軸ケーブルを作製し、本発明の適用前後で内部導体の偏芯量とＶＳＷＲを調査した。その結果を図３〜６に示す。
【００４１】
図３，４において、横軸は時間変化（１目盛りおよそ２３０ｓ）を示し、縦軸は偏芯量（ｍｍ）を示す。また、図５，６において、横軸は周波数（測定周波数領域８００〜２２００ＭＨｚ）を示し、縦軸はＶＳＷＲ（原点１、１目盛り０．１）を示す。
【００４２】
図３，４から分かるように、発泡層クロスヘッド心金９１の内周部における内部充実層用材料の滞留量を常に一定にすることにより、偏芯の変動を従来比で約２０％抑えることができた。
【００４３】
また、図５，６から分かるように、内部導体の偏芯を抑制することで、ケーブル長手方向の均一性の指標であるＶＳＷＲの値を従来比で約５０％抑えることができた。
【００４４】
以上のことから、本発明を適用することで、内部導体が発泡層クロスヘッド心金の中心に対して偏芯することを防止することが可能となり、ＶＳＷＲを向上できることが実証された。
【符号の説明】
【００４５】
１０  押出被覆装置
１１  内部充実層形成機構
１２  発泡層形成機構
１３  外部充実層形成機構
１４  内部充実層クロスヘッド
１５  内部充実層押出機
１６  材料投入口
１７  発泡層押出機
１８  材料投入口
１９  ガス注入装置
２０  外部充実層押出機
２１  材料投入口
２２  変位センサ
２３  流路
７０  同軸ケーブル
７１  内部導体
７２  内部充実層
７３  被覆電線
７４  発泡層
７５  外部充実層
７６  外部導体
７７  外皮
７８  発泡絶縁電線
９０  発泡層クロスヘッド
９１  発泡層クロスヘッド心金
９２  発泡絶縁体
９３  流路
９４  発泡層クロスヘッド口金
９５  内部充実層用材料
Ａ  被覆電線の径
Ｂ  発泡層クロスヘッド心金の径
【図１】
2012190606.tif 000003
【図２】
2012190606.tif 000004
【図３】
2012190606.tif 000005
【図４】
2012190606.tif 000006
【図５】
2012190606.tif 000007
【図６】
2012190606.tif 000008
【図７】
2012190606.tif 000009
【図８】
2012190606.tif 000010
【図９】
2012190606.tif 000011